(57)【特許請求の範囲】
【請求項１】
柔軟性を有しカーテン(12)を束ねることのできる長さの紐状又は帯状に形成されたタッセル本体(13)と、前記タッセル本体(13)の両端を磁力により互いに吸着可能に構成された磁力吸着手段(14)とを備えたマグネットタッセルにおいて、
前記磁力吸着手段(14)が、
前記カーテン(12)の一端部の一方の面に配置される第１挟持部材(21)と、
前記タッセル本体(13)の一端に設けられ前記第１挟持部材(21)に磁力により吸着されて前記カーテン(12)を挟持する第２挟持部材(22)と、
前記タッセル本体(13)の他端に設けられ前記第１挟持部材(21)のうち前記第２挟持部材(22)を吸着する面とは反対側の面に磁力により吸着されて前記第１挟持部材(21)に結合される結合部材(23)と
を有することを特徴とするマグネットタッセル。
【請求項２】
前記第１挟持部材(21)が前記カーテン(12)の一端部の表面に配置され、前記第２挟持部材(22)が前記カーテン(12)の一端部の裏面に配置された請求項１記載のマグネットタッセル。
【請求項３】
前記第１挟持部材(21)が永久磁石又は強磁性体により形成された第１挟持用磁力吸着部(21a)を有し、前記第２挟持部材(22)が強磁性体又は永久磁石により形成された第２挟持用磁力吸着部(22a)を有し、前記結合部材(23)が強磁性体又は永久磁石により形成された結合用磁力吸着部(23a)を有する請求項１又は２記載のマグネットタッセル。
【発明の詳細な説明】
【技術分野】
【０００１】
本発明は、磁力を利用してカーテンを束ねるマグネットタッセルに関するものである。
【背景技術】
【０００２】
従来、カーテンに紐状のタッセルを巻付け、窓枠や壁面に取付けられた房掛けに上記タッセルの両端を係止することにより、カーテンを束ねていた。しかし、このようなカーテンを束ねる方法では、房掛けを用いているため、この房掛けを窓枠や壁面に取付けるときに、ビスや両面粘着テープを用いるため、使い古した房掛けを取外すと、窓枠にビス穴が露出したり、或いは壁面に貼付された壁紙が破れる問題点があった。
【０００３】
この点を解消するために、端部にタッセルがスナップボタンにより取付けられたタッセル付きカーテンが開示されている（例えば、特許文献１参照。）。このタッセル付きカーテンでは、カーテンの裏面の端部にスナップボタンの凸部が設けられ、タッセルの端部にスナップボタンの凹部が設けられ、これらによりカーテンとタッセルが固定される。またタッセルの両端に面ファスナが取付けられる。このように構成されたタッセル付きカーテンでは、カーテンを束ね、タッセルの両端に取付けられた面ファスナで止める。このとき、タッセルとカーテンが一体となっているので、フックを別に購入することなくタッセルを使用できる。これによりフックをビスや両面粘着テープなどで窓枠に取付ける必要がないため、窓枠を傷つけることなく使用できる。
【０００４】
一方、柔軟な束ね体がカーテンを束ねることのできる長さを有し、束ね体の一端に磁石が設けられ、束ね体の他端に設けられた被吸着体が磁石により磁力吸着されるように構成されたコーディネイト・タッセルが開示されている（例えば、特許文献２に参照。）。このように構成されたコーディネイト・タッセルでは、カーテンの所望の位置を束ねてその束ねたカーテンに束ね体を巻付け、束ね体の両端部同士をカーテンを挟んで磁力吸着させると、カーテンは所望の状態に束ねられたまま保持される。束ね体の一端と他端とを磁力吸着させるとき、カーテンの所望の位置を挟むように磁力吸着させると、カーテンを多様な形態に束ねることができる。
【先行技術文献】
【特許文献】
【０００５】
【特許文献１】特開２００７−２３６８９８号公報（請求項１、段落［０００５］、［０００６］）
【特許文献２】特開平１１−３４６９１２号公報（請求項１、段落［００１０］、［００１１］、［００３０］）
【発明の概要】
【発明が解決しようとする課題】
【０００６】
しかし、上記従来の特許文献１に示されたタッセル付きカーテンでは、スナップボタンをカーテンに縫製しなければならず、スナップボタンのカーテンへの組付工数が増大する不具合があった。また、上記従来の特許文献１に記載されたタッセル付きカーテンでは、使い古したカーテンを新しいカーテンに交換するとき、スナップボタンを使い古したカーテンから取外し、このスナップボタンを新しいカーテンに再び縫製しなければならず、カーテンの交換作業に多くの時間を要する問題点があった。更に、上記従来の特許文献１に記載されたタッセル付きカーテンでは、タッセルのカーテンへの取付位置を変更するとき、スナップボタンをカーテンから取外し、このスナップボタンをカーテンの上記とは異なる位置に再び縫製しなければならず、タッセルのカーテンへの取付位置の変更に多くの時間を要する問題点があった。
【０００７】
一方、上記従来の特許文献２に示されたコーディネイト・タッセルでは、カーテンを束ねているタッセルの束ね体の両端を引き離したとき、このタッセルを手で保持していないと、タッセルが落下してしまう問題点があった。また、上記従来の特許文献２に示されたコーディネイト・タッセルでは、タッセルによりカーテンを束ねていないとき、タッセルの束ね体の両端部同士をカーテンの端部を挟んで磁力吸着させるけれども、このとき束ね体の全長のうち略半分が室内側に露出するため、カーテンの見栄えを損なう問題点もあった。
【０００８】
本発明の目的は、タッセルの構成部品のカーテンへの縫製を不要にしカーテンの第１及び第２挟持部材による挟持のみでタッセルをカーテンに固定することにより、タッセルのカーテンへの固定を極めて容易に行うことができるとともに、タッセルのカーテンへの固定位置の変更を極めて容易に行うことができる、マグネットタッセルを提供することにある。本発明の別の目的は、第１挟持部材への結合部材の結合を解除してタッセルから手を離してもタッセルがカーテンから落下せず、またタッセルの不使用時にカーテンの見栄えを殆ど損なわない、マグネットタッセルを提供することにある。
【課題を解決するための手段】
【０００９】
本発明の第１の観点は、図１に示すように、柔軟性を有しカーテン１２を束ねることのできる長さの紐状又は帯状に形成されたタッセル本体１３と、タッセル本体１３の両端を磁力により互いに吸着可能に構成された磁力吸着手段１４とを備えたマグネットタッセルにおいて、磁力吸着手段１４が、カーテン１２の一端部の一方の面に配置される第１挟持部材２１と、タッセル本体１３の一端に設けられ第１挟持部材２１に磁力により吸着されてカーテン１２を挟持する第２挟持部材２２と、タッセル本体１３の他端に設けられ第１挟持部材２１のうち第２挟持部材２２を吸着する面とは反対側の面に磁力により吸着されて第１挟持部材２１に結合される結合部材２３とを有することを特徴とする。
【００１０】
本発明の第２の観点は、第１の観点に基づく発明であって、更に図１及び図３に示すように、第１挟持部材２１がカーテン１２の一端部の表面に配置され、第２挟持部材２２がカーテン１２の一端部の裏面に配置されたことを特徴とする。
【００１１】
本発明の第３の観点は、第１又は第２の観点に基づく発明であって、更に図１に示すように、第１挟持部材２１が永久磁石又は強磁性体により形成された第１挟持用磁力吸着部２１ａを有し、第２挟持部材２２が強磁性体又は永久磁石により形成された第２挟持用磁力吸着部２２ａを有し、結合部材２３が強磁性体又は永久磁石により形成された結合用磁力吸着部２３ａを有することを特徴とする。
【発明の効果】
【００１２】
本発明の第１の観点のマグネットタッセルでは、第１及び第２挟持部材によりカーテンの一端部を挟持するだけで、タッセルがカーテンに固定されるので、タッセルのカーテンへの固定を極めて容易に行うことができるとともに、タッセルのカーテンへの固定位置の変更を極めて容易に行うことができる。またスナップボタンをカーテンに縫製する必要があるため、スナップボタンのカーテンへの組付工数が増大する従来のタッセル付きカーテンと比較して、本発明では、第１及び第２挟持部材によりカーテンの一端部を挟持するだけで、タッセルがカーテンに組付けられて固定されるので、タッセルの構成部品のカーテンへの縫製を不要にすることができる。更に第１挟持部材への結合部材の結合を解除してタッセルから手を離しても、第１及び第２挟持部材によりカーテンの一端部を挟持しているため、タッセルがカーテンから落下することはない。
【００１３】
本発明の第２の観点のマグネットタッセルでは、第１挟持部材をカーテンの一端部の表面に配置し、第２挟持部材をカーテンの一端部の裏面に配置し、この状態で第１及び第２挟持部材によりカーテンの一端部を挟持するので、タッセル本体が第２挟持部材からカーテンの裏面側に垂下させた状態になる。この結果、比較的小型の第１挟持部材がカーテンの表面側に露出するだけであり、比較的長いタッセル本体が室内側に露出しないため、タッセルの不使用時におけるカーテンの見栄えを損なうことは殆どない。
【図面の簡単な説明】
【００１４】
【図１】本発明実施形態のマグネットタッセルの第１及び第２挟持部材によりカーテンを挟持した状態であって第１挟持部材に結合部材を結合する直前の状態を示す要部縦断面図である。
【図２】そのマグネットタッセルの各構成部品の正面図である。
【図３】そのマグネットタッセルの第１及び第２挟持部材によりカーテンの一端部を挟持しタッセル本体を第２挟持部材からカーテンの裏面側に垂下させた状態を示す要部斜視図である。
【図４】そのマグネットタッセルのタッセル本体をカーテンに巻付けた後に第１挟持部材に結合部材を結合させてカーテンをタッセルにより束ねた状態を示す要部斜視図である。
【発明を実施するための形態】
【００１５】
次に本発明を実施するための形態を図面に基づいて説明する。図１及び図２に示すように、マグネットタッセル１１は、カーテン１２を束ねることのできる長さの紐状に形成されたタッセル本体１３と、タッセル本体１３の両端を磁力により互いに吸着可能に構成された磁力吸着手段１４とを備える。タッセル本体１３は、柔軟性を有する撚り紐１３ａを後述の第２挟持部材用連結リング２２ｎ及び結合部材用連結リング２３ｎに挿通し、撚り紐１３ａの両端を結合して撚り紐１３ａを環状にすることにより２条の紐状に形成される。この２条の紐状に形成されたタッセル本体１３は、第２挟持部材用連結リング２２ｎ及び結合部材用連結リング２３ｎの近傍で細い紐１３ｂ，１３ｂを用いてそれぞれ縛られる。なお、この実施の形態では、タッセル本体を２条の紐状に形成したが、タッセル本体を１条又は３条以上の紐状に形成したり、又は柔軟性を有する布により帯状に形成してもよく、或いはビーズ状に形成してもよい。
【００１６】
磁力吸着手段１４は、カーテン１２の一端部の一方の面（表面：室内側の面）に配置される第１挟持部材２１と、カーテン１２の一端部の他方の面（裏面：窓側の面）に配置され第１挟持部材２１に磁力により吸着されてカーテン１２を挟持する第２挟持部材２２と、第１挟持部材２１のうち第２挟持部材２２を吸着する面とは反対側の面に磁力により吸着されて第１挟持部材２１に結合される結合部材２３とを有する。第１挟持部材２１は、円板状の永久磁石により形成された第１挟持用磁力吸着部２１ａと、この第１挟持用磁力吸着部２１ａを保持する第１挟持用ホルダ２１ｂとからなる。第１挟持用磁力吸着部２１ａの中央には、円錐台状の第１挟持用係止孔２１ｃが形成される。また第１挟持用ホルダ２１ｂは、プラスチックの射出成型により、第１挟持用磁力吸着部２１ａより大径の円板状に形成される。この第１挟持用ホルダ２１ｂには、第１挟持用磁力吸着部２１ａの大部分を収容可能な円形の第１挟持用凹部２１ｄと、第１挟持用磁力吸着部２１ａの第１挟持用係止孔２１ｃを嵌入可能な第１挟持用突起２１ｅとが形成される。第１挟持用突起２１ｅは第１挟持用凹部２１ｄの中央に形成される。第１挟持用突起２１ｅに第１挟持用係止孔２１ｃを嵌入して、第１挟持用凹部２１ｄに第１挟持用磁力吸着部２１ａの大部分を収容した状態で、第１挟持用突起２１ｅの先端部を第１挟持用係止孔２１ｃに相応する円錐台状に熱変形させることにより、第１挟持用磁力吸着部２１ａが第１挟持用ホルダ２１ｂに固定される。
【００１７】
第２挟持部材２２は、鋼板のプレス加工又は鋼材の切削加工により円板状に形成された第２挟持用磁力吸着部２２ａと、この第２挟持用磁力吸着部２２ａを保持する第２挟持用ホルダ２２ｂとからなる。第２挟持用磁力吸着部２２ａの中央には一方の面に突出し他方の面にへこむ円錐台状の第２挟持用段差部２２ｃが形成される。この第２挟持用段差部２２ｃの中央には第２挟持用係止孔２２ｄが形成され、第２挟持用段差部２２ｃより外側には第２挟持用リング状板部２２ｅが形成される。また第２挟持用ホルダ２２ｂは、プラスチックの射出成型により、第２挟持用磁力吸着部２２ａより大径の円板状に形成される。この第２挟持用ホルダ２２ｂには、第２挟持用磁力吸着部２２ａの第２挟持用段差部２２ｃを収容可能な円形の第２挟持用段差収容凹部２２ｆと、第２挟持用磁力吸着部２２ａの第２挟持用段差部２２ｃより外側の第２挟持用リング状板部２２ｅの大部分を収容可能な円形の第２挟持用リング状板収容凹部２２ｇと、第２挟持用磁力吸着部２２ａの第２挟持用係止孔２２ｄを嵌入可能な第２挟持用突起２２ｈとが形成される。第２挟持用突起２２ｈは第２挟持用段差収容凹部２２ｆの中央に形成される。第２挟持用突起２２ｈに第２挟持用係止孔２２ｄを嵌入して、第２挟持用段差収容凹部２２ｆに第２挟持用段差部２２ｃを収容し、かつ第２挟持用リング状板収容凹部２２ｇに第２挟持用リング状板部２２ｅの大部分を収容した状態で、第２挟持用突起２２ｈの先端部を第２挟持用係止孔２２ｄに相応する円錐台状に熱変形させることにより、第２挟持用磁力吸着部２２ａが第２挟持用ホルダ２２ｂに固定される。更に第２挟持用ホルダ２２ｂのうち第２挟持用磁力吸着部２２ａを収容する面とは反対側の面は球状に膨らんで形成され、この第２挟持用ホルダ２２ｂの外側面には第２挟持用ネジ下孔２２ｉが第２挟持用ホルダ２２ｂの中心に向って形成される。この第２挟持用ネジ下孔２２ｉには、第２挟持部材用リングネジ２２ｊのネジ部２２ｋが螺合され、第２挟持部材用リングネジ２２ｊのリング部２２ｍには、第２挟持部材用連結リング２２ｎが係合される。この第２挟持部材用連結リング２２ｎがタッセル本体１３の一端に係合することにより、第２挟持部材２２がタッセル本体１３の一端に設けられる。
【００１８】
一方、結合部材２３は、鋼板のプレス加工又は鋼材の切削加工により円板状に形成された結合用磁力吸着部２３ａと、この結合用磁力吸着部２３ａを保持する結合用ホルダ２３ｂとからなる。結合用磁力吸着部２３ａは第２挟持用磁力吸着部２２ａと同一材料により同一形状に形成される。具体的には、結合用磁力吸着部２３ａの中央には一方の面に突出し他方の面にへこむ円錐台状の結合用段差部２３ｃが形成される。この結合用段差部２３ｃの中央には結合用係止孔２３ｄが形成され、結合用段差部２３ｃより外側には結合用リング状板部２３ｅが形成される。また結合用ホルダ２３ｂは第２挟持用ホルダ２２ｂと同一材料により同一形状に形成される。具体的には、結合用ホルダ２３ｂは、プラスチックの射出成型により、結合用磁力吸着部２３ａより大径の円板状に形成される。この結合用ホルダ２３ｂには、結合用磁力吸着部２３ａの結合用段差部２３ｃを収容可能な円形の結合用段差収容凹部２３ｆと、結合用磁力吸着部２３ａの結合用段差部２３ｃより外側の結合用リング状板部２３ｅの大部分を収容可能な円形の結合用リング状板収容凹部２３ｇと、結合用磁力吸着部２３ａの結合用係止孔２３ｄを嵌入可能な結合用突起２３ｈとが形成される。結合用突起２３ｈは結合用段差収容凹部２３ｆの中央に形成される。結合用突起２３ｈに結合用係止孔２３ｄを嵌入して、結合用段差収容凹部２３ｆに結合用段差部２３ｃを収容し、かつ結合用リング状板収容凹部２３ｇに結合用リング状板部２３ｅの大部分を収容した状態で、結合用突起２３ｈの先端部を結合用係止孔２３ｄに相応する円錐台状に熱変形させることにより、結合用磁力吸着部２３ａが結合用ホルダ２３ｂに固定される。更に結合用ホルダ２３ｂのうち結合用磁力吸着部２３ａを収容する面とは反対側の面は球状に膨らんで形成され、この結合用ホルダ２３ｂの外側面には結合用ネジ下孔２３ｉが結合用ホルダ２３ｂの中心に向って形成される。この結合用ネジ下孔２３ｉには、結合部材用リングネジ２３ｊのネジ部２３ｋが螺合され、結合部材用リングネジ２３ｊのリング部２３ｍには、結合部材用連結リング２３ｎが係合される。この結合部材用連結リング２３ｎがタッセル本体１３の他端に係合することにより、結合部材２３がタッセル本体１３の他端に設けられる。
【００１９】
なお、この実施の形態では、第１挟持部材の第１挟持用磁力吸着部を永久磁石により形成し、第２挟持部材の第２挟持用磁力吸着部及び結合部材の結合用磁力吸着部を強磁性体である鋼板又は鋼材が強磁性体により形成したが、第１挟持部材の第１挟持用磁力吸着部を鋼板又は鋼材等の強磁性体により形成し、第２挟持部材の第２挟持用磁力吸着部及び結合部材の結合用磁力吸着部を永久磁石により形成したり、或いは第１挟持部材の第１挟持用磁力吸着部、第２挟持部材の第２挟持用磁力吸着部及び結合部材の結合用磁力吸着部を永久磁石により形成してもよい。また、この実施の形態では、強磁性体として鋼を挙げたが、鋼以外の鉄、例えば炭素量が所定量未満の純鉄や軟鉄、又は炭素量が所定量を越える鋳鉄を用いてもよく、或いは鉄以外のコバルトやニッケル等の強磁性体を用いてもよい。
【００２０】
このように構成されたマグネットタッセル１１の使用方法を説明する。第１挟持部材２１をカーテン１２の一端部の表面に配置し、第２挟持部材２２をカーテン１２の一端部の裏面に配置する。より詳しくは、第１挟持部材２１をカーテン１２の幅方向の一端部かつカーテン１２の高さ方向の中央であってカーテン１２の表面（室内側の面）に配置し、第２挟持部材２２をカーテン１２の幅方向の一端部かつカーテン１２の高さ方向の中央であってカーテン１２の裏面（窓側の面）に配置する。そしてカーテン１２を挟んで第１挟持部材２１と第２挟持部材２２を互いに対向させ、第１挟持用磁力吸着部２１ａと第２挟持用磁力吸着部２２ａとの間に発生する磁力により、第１挟持用磁力吸着部２１ａと第２挟持用磁力吸着部２２ａとを吸着させる（図１）。これによりカーテン１２の一端部が第１及び第２挟持部材２１，２２により挟持された状態で、マグネットタッセル１１がカーテン１２に固定される（図１及び図３）。この結果、マグネットタッセル１１のカーテン１２への固定を極めて容易に行うことができるとともに、マグネットタッセル１１のカーテン１２への固定位置の変更を極めて容易に行うことができる。またタッセル本体１３を第２挟持部材２２からカーテン１２の裏面側に垂下させた状態で、マグネットタッセル１１がカーテン１２に固定されるので（図１及び図３）、比較的小型の第１挟持部材２１がカーテン１２の表面側に露出するだけである。この結果、比較的長いタッセル本体１３が室内側に露出しないため、マグネットタッセル１１によりカーテン１２を束ねないマグネットタッセル１１の不使用時に、カーテン１２の見栄えを損なうことは殆どない。
【００２１】
一方、上記マグネットタッセル１１を用いてカーテン１２を束ねるときには、先ずカーテン１２をカーテンレール２４に沿って移動させて１箇所に集める。次にタッセル本体１３をカーテン１２の周囲に巻付けた後に、結合部材２３の結合用磁力吸着部２３ａを第１挟持部材２１の第１挟持用磁力吸着部２１ａに磁力により吸着させる（図４）。このとき、結合部材２３の結合用磁力吸着部２３ａは第１挟持部材２１の第１挟持用磁力吸着部２１ａの両面のうち第２挟持部材２２の第２挟持用磁力吸着部２２ａが磁力吸着された面とは反対の面に磁力吸着される。この結果、第１及び第２挟持部材２１，２２を保持せずに、タッセル本体１３をカーテン１２に巻付けて結合部材２３を第１挟持部材２１に磁力吸着させるという極めて簡単な作業でカーテン１２を束ねることができる。また、マグネットタッセルを使用状態から不使用状態にし、カーテン１２を展開してカーテン１２により窓２６を覆うときには、結合部材２３を第１挟持部材２１から引き離して、第１挟持部材２１への結合部材２３の結合を解除する。このときマグネットタッセル１１から手を離しても、カーテン１２の一端部が第１及び第２挟持部材２１，２２により挟持され、かつタッセル本体１３が第２挟持部材２２からカーテン１２の裏面側に垂下された状態になる（図３）。この結果、マグネットタッセル１１がカーテン１２から落下することはない。
【符号の説明】
【００２２】
１１  マグネットタッセル
１２  カーテン
１３  タッセル本体
１４  磁力吸着手段
２１  第１挟持部材
２１ａ  第１挟持用磁力吸着部
２２  第２挟持部材
２２ａ  第２挟持用磁力吸着部
２３  結合部材
２３ａ  結合用磁力吸着部
【図１】
0005547036.tif 000002
【図２】
0005547036.tif 000003
【図３】
0005547036.tif 000004
【図４】
0005547036.tif 000005